(57)【要約】【課題】  次の撮影すべき場所を撮影支援情報として提供する。【解決手段】  画像管理サーバ装置（１０４）は、複数のユーザのデジタルカメラ装置（１０１）による撮影位置情報及び撮影日時情報を付加された撮影画像を記憶装置に蓄積記憶している。画像管理サーバ装置（１０４）は、撮影支援情報を要求するデジタルカメラの現在地と同じ位置で撮影を行ったカメラからの撮影画像のうち同日の撮影画像を検索し、検索結果を要求元のカメラ装置（１０１）に送信する。【選択図】  図１
2014096689.tif 000002
【特許請求の範囲】
【請求項１】
画像を撮影するデジタルカメラ装置と、前記デジタルカメラ装置から画像を受信して記憶装置に格納し、送信された情報を解析して前記デジタルカメラ装置に撮影支援情報を送信する画像管理サーバ装置とからなる撮影支援システムであって、
前記デジタルカメラ装置が、画像を撮影し位置情報を付加して、撮影支援情報を要求する手段と、位置情報が付加された画像を読み出し、画像管理サーバ装置へネットワークを介して送信する手段とを具備し、
前記画像管理サーバ装置が、前記デジタルカメラ装置から送信された画像を受信する手段と、受信した画像をユーザとひもづけて格納する手段と、受信した画像を解析し、位置情報を取得する手段と、前記画像管理サーバ装置で管理する全ての位置情報を検索して近傍の画像を検索する手段と、検索した画像についてユーザの情報を取得し、前記ユーザがその画像の撮影後に撮影した画像の位置情報を検索し、撮影の候補リストを生成する手段と、前記候補リストと地図情報を当てはめて、撮影支援情報を生成する手段と、前記撮影支援情報を要求したデジタルカメラ装置に前記撮影支援情報を送信する手段とを具備し、
前記撮影支援情報を要求したデジタルカメラ装置が、前記撮影支援情報を受信する手段と、前記撮影支援情報を表示領域に表示する手段を備える
ことを特徴とする撮影支援システム。
【請求項２】
複数の撮像装置からの、撮影位置情報及び撮影日時情報が付加された撮影画像を格納する記憶装置と、
支援要求撮像装置からの位置情報を含む撮影支援情報の要求を受信する受信手段と、
前記撮影支援情報の要求に対し、前記記憶装置に記憶される情報から前記位置情報と同じ位置で撮影を行った撮像装置からの撮影画像のうち同日の撮影画像を検索する検索手段と、
前記検索手段で検索された撮影画像の撮影位置を示す撮影支援情報を前記支援要求撮像装置に送信する送信手段
とを有することを特徴とする撮影支援装置。
【発明の詳細な説明】
【技術分野】
【０００１】
本発明は、撮影支援システム及び装置に関し、より具体的には、撮像装置のユーザに撮影支援情報を提供する撮影支援システム及び装置に関する。
【背景技術】
【０００２】
カメラを携帯し、外出途中や観光地での写真撮影が手軽に行われるようになった。撮影者が、遠方の観光地や外出途中のよく知らない地域での写真撮影をする場合、その地域の撮影スポットに関する情報が有用である。そのため、撮影者は撮影場所の事前調査を行って、ガイドマップや観光ガイドを準備して携帯するか、携帯端末等で観光地に関する情報を取得して撮影スポットの情報を取得する。
【０００３】
しかし、ガイドマップや観光ガイドの観光地の情報は必ずしも最新なものではない。また観光地の情報と撮影スポットは必ずしも一致するものではない。その結果、撮影者は近傍にある絶好の撮影スポットを逃がし、満足いく撮影体験を得られないでいた。
【０００４】
特許文献１には、撮影地点または複数撮影対象の情報を準備し、撮影支援を行う撮影支援システムが記載されている。このシステムは、デジタルカメラで撮った画像特定情報をサーバ装置に送ると、サーバ装置が画像特定情報をもとに撮影地点を指示する撮影地点指示情報を携帯端末に送信し、撮影支援を行うゲーム性をもったシステムである。
【０００５】
また、インターネットなどの通信インフラを利用したＷｅｂサービスの一種として、ユーザが撮影画像をインターネット上のサーバ装置に保管できるサービスがある。このようなサービスを提供するサーバ装置を以下では画像管理サーバ装置と呼ぶ。通信機能をもつカメラをこの画像管理サーバ装置に接続し、撮影画像をカメラ単体で保持するのではなく、画像管理サーバ装置に転送して管理するようになった。画像管理サーバ装置には、大量の画像および各画像の撮影情報が集積し、管理されている。この大量の撮影情報を生かして撮影を支援する情報を生成することも可能になってきた。
【先行技術文献】
【特許文献】
【０００６】
【特許文献１】特開２００３−２１１０７９２号公報
【発明の概要】
【発明が解決しようとする課題】
【０００７】
特許文献１に記載の技術では、予め想定された場所や特定の観光地の撮影スポットをサーバ装置に入力して撮影支援情報を蓄積しておく必要があり、撮影者は、現在の所在地域の撮影支援情報が得られるとは限らない。また情報がタイムリーに更新されていくことは望めない。
【０００８】
本発明は、このような不都合を解消した撮影支援システム及び装置を提示することを目的とする。
【課題を解決するための手段】
【０００９】
本発明に係る撮影支援システムは、画像を撮影するデジタルカメラ装置と、前記デジタルカメラ装置から画像を受信して記憶装置に格納し、送信された情報を解析して前記デジタルカメラ装置に撮影支援情報を送信する画像管理サーバ装置とからなる撮影支援システムであって、前記デジタルカメラ装置が、画像を撮影し位置情報を付加して、撮影支援情報を要求する手段と、位置情報が付加された画像を読み出し、画像管理サーバ装置へネットワークを介して送信する手段とを具備し、前記画像管理サーバ装置が、前記デジタルカメラ装置から送信された画像を受信する手段と、受信した画像をユーザとひもづけて格納する手段と、受信した画像を解析し、位置情報を取得する手段と、前記画像管理サーバ装置で管理する全ての位置情報を検索して近傍の画像を検索する手段と、検索した画像についてユーザの情報を取得し、前記ユーザがその画像の撮影後に撮影した画像の位置情報を検索し、撮影の候補リストを生成する手段と、前記候補リストと地図情報を当てはめて、撮影支援情報を生成する手段と、前記撮影支援情報を要求したデジタルカメラ装置に前記撮影支援情報を送信する手段とを具備し、前記撮影支援情報を要求したデジタルカメラ装置が、前記撮影支援情報を受信する手段と、前記撮影支援情報を表示領域に表示する手段を備えることを特徴とする。
【発明の効果】
【００１０】
本発明によれば、撮影者の撮影時の情報を利用し、他のユーザの次の撮影場所を候補地リストとして提供できる。また、蓄積された大量の画像の撮影位置情報を活用して、時期を考慮して更新されるタイムリーな情報でユーザの撮影を支援することができる。
【図面の簡単な説明】
【００１１】
【図１】本発明の一実施例を使用する撮影支援システムの全体構成図である。
【図２】画像管理サーバ装置として機能するコンピュータの概略構成ブロック図である。
【図３】デジタルカメラ装置の概略構成ブロック図である。
【図４】ユーザ情報テーブルの構成例を示す図である。
【図５】デジタルカメラ装置の撮影支援情報要求動作を示すフローチャートである。
【図６】デジタルカメラ装置の撮影支援メニュー画面例である。
【図７】画像管理サーバ装置の画像受信動作を示すフローチャートである。
【図８】画像情報テーブルの構成例を示す図である。
【図９】画像管理サーバ装置の、撮影支援情報の候補リストを生成する動作を示すフローチャートである。
【図１０】現在地と撮影位置情報が一致する画像リストの構成例を示す図である。
【図１１】ユーザの画像リストの構成例を示す図である。
【図１２】候補リストの構成例を示す図である。
【図１３】画像管理サーバ装置の、撮影支援情報生成動作を示すフローチャートである。
【図１４】支援リストの構成例を示す図である。
【図１５】デジタルカメラ装置の、撮影支援情報取得動作を示すフローチャートである。
【図１６】デジタルカメラ装置での、撮影支援情報の表示例である。
【発明を実施するための形態】
【００１２】
以下、図面を参照して、本発明の実施例を詳細に説明する。ただし、以下に記載する実施例は説明用であり、本発明の技術的範囲は、以下に説明する実施例の構成要素に限定されない。
【実施例１】
【００１３】
図１は、本発明に係る撮影支援システムの一実施例の全体構成図を示す。１０１は通信機能付きデジタルカメラ装置である。デジタルカメラ装置１０１は、画像を撮影し、ネットワーク１０３を経由して画像情報を、撮影支援装置として機能する画像管理サーバ装置１０４に転送できる。デジタルカメラ装置１０１はまた、画像管理サーバ装置１０４から撮影支援情報を受信できる。画像管理サーバ装置１０４は、デジタルカメラ装置１０１からアップロードされた画像情報を内蔵記憶装置に格納する。画像管理サーバ装置１０４はまた、デジタルカメラ装置１０１からの撮影支援情報の要求に応じて、格納情報から撮影支援情報を作成してデジタルカメラ装置１０１に送信する。画像管理サーバ装置１０４は、複数のデジタルカメラ装置１０１と通信可能である。
【００１４】
デジタルカメラ装置１０１には、撮影位置情報と撮影日時情報を付加した撮影画像を画像管理サーバ装置１０４に送信するのみの撮像装置と、画像管理サーバ装置１０４に撮影支援情報を要求する支援要求撮像装置とがありうる。以下の説明では、デジタルカメラ装置１０１は、両者の機能を兼ね備えるものとする。
【００１５】
図２は、画像管理サーバ装置１０４を構成するコンピュータ装置２００の概略構成ブロック図を示す。画像管理サーバ装置１０４を単一のコンピュータ装置２００で実現してもよいし、複数のコンピュータ装置２００を連携動作させて実現しても良いことは、いうまでもない。
【００１６】
２０１はコンピュータ装置２００の全体を制御する制御部であり、例えば（ＣＰＵ（Central Processing Unit）である。２０２は変更を必要としないプログラム及びパラメータを格納するＲＯＭ（Read Only Memory）である。２０３は外部装置などから供給されるプログラムやデータを一時記憶するＲＡＭ（Random Access Memory）である。２０４はコンピュータ装置２００に固定して設置されたハードディスク若しくはメモリカード、又はコンピュータ装置２００から着脱可能な光ディスク、磁気ディスク、光カード若しくはＩＣカードなどを含む外部記憶装置である。
【００１７】
２０５は、ユーザにより操作されるポインティングデバイス２０９ａ及びキーボード２０９ｂなどの入力デバイスを接続する操作入力インターフェース（ＩＦ）である。
【００１８】
２０６はコンピュータ装置２００の保持するデータ及び供給されたデータ等を表示する表示装置２１０との表示インターフェースである。２０７はインターネットなどのネットワーク１０３に接続するネットワークインターフェースである。２０８は撮像装置等の画像入力デバイス２１２を接続する画像入力インターフェースである。２１１は、各デバイス２０１〜２０８を通信可能に接続するシステムバスである。
【００１９】
コンピュータ装置２００の記憶装置２０４には、Ｗｅｂアプリケーションプログラム、基本ソフトウエアであるＯＳ（Operating System）、画像データ及び各種設定が記憶されている。
【００２０】
図３は、デジタルカメラ装置１０１の概略構成ブロック図を示す。被写体光学像は、レンズ３０１及び絞り３０２を介してミラー３０３に入射する。ミラー３０３は、入射光の一部を、シャッタ３０６を介して撮像素子３０７に供給し、残りをミラー３０４に供給する。ミラー３０４は、ミラー３０３入射光を反射し、光学ファインダ３０５に供給する。ミラー３０３は、クイックリターンミラーの構成としてもよい。その場合、ミラー３０３は、その位置に応じて、レンズ３０１の入射光を撮像素子３０７及び光学ファインダ３０５の一方に選択的に供給する。
【００２１】
撮像素子３０７は、シャッタ３０６を通過して入射する光学像をアナログ画像信号に変換する。撮像素子３０７には、ＣＣＤイメージセンサ、ＣＭＯＳイメージセンサ又は撮像管等を用いることができる。Ａ／Ｄ変換器３０８は、撮像素子３０７からのアナログ画像信号をデジタル化し、画像データに変換する。
【００２２】
３０９は撮像素子３０７、Ａ／Ｄ変換器３０８及びＤ／Ａ変換器３１２などにクロック信号及び制御信号を供給するＴＧ（タイミング発生回路）であり、メモリ制御部３３１及びシステム制御部３１８により制御される。
【００２３】
３１０は画像処理プロセッサであり、Ａ／Ｄ変換器３０８からの画像データ及びメモリ制御部３３１からの画像データに所定の画像処理を行う。画像処理プロセッサ３１０による画像処理には、主に、画素補間処理、色変換処理１、輝度信号生成処理及び色変換処理２がある。単版式固体撮像素子の場合、再生した各画素の色情報は、必要とされる数種類の色情報のうち、一つの情報しかないので、画素補間処理が、欠落している色情報を近傍の画素情報を使って予測補間処理する。色変換処理１は、補間処理によって計算された色情報を色変換して、輝度成分を含む違うフォーマットの信号に変換する。輝度信号生成処理は、色情報として再生された撮像信号から輝度成分を生成する。輝度信号強調処理。生成された輝度信号の輪郭部等を強調処理する。色変換処理２は、輝度信号強調処理により生成された輪郭強調された輝度成分と、色変換処理１で抽出された輝度成分を交換し、Ｒ，Ｇ，Ｂの三原色信号に変換する。これらの画像処理により、撮像素子３０７から出力される画素レベルの信号が、人間の視覚特性にマッチした画像信号に変換される。
【００２４】
画像処理プロセッサ３１０は、必要に応じて、撮像した画像データを用いて、ＴＴＬ（スルー・ザ・レンズ）方式のＡＦ（オートフォーカス）処理、ＡＥ（自動露出）処理及びＥＦ（フラッシュ調光）処理のための演算処理を行う。システム制御部３１８は、画像処理プロセッサ３１０で得られた演算結果に従い、レンズ３０１のフォーカス、絞り３０２、シャッタ３０６及びフラッシュ３２１の発光を制御する。画像処理プロセッサ３１０は更に、撮像した画像データの色バランスを一定の基準に基づき自動調整する。いわゆる、ＴＴＬ方式のＡＷＢ（オートホワイトバランス）処理である。
【００２５】
なお、測距及び測光をそれぞれ測距手段３２３及び測光手段３２２で専用的に実行させても良いし、画像処理プロセッサ３１０と協調して実行するようにしてもよい。また、測距手段３２３及び測光手段３２２によりそれぞれ測距及び測光をした後に、画像処理プロセッサ３１０を用いたＡＦ処理、ＡＥ処理及びＥＦ処理の各処理を行う構成としてもよい。
【００２６】
メモリ制御部３３１は、Ａ／Ｄ変換器３０８、ＴＧ３０９、画像処理プロセッサ３１０、表示用メモリ３１１、Ｄ／Ａ変換器３１２、フレームメモリ３１４及び圧縮伸長プロセッサ３１６を制御する。
【００２７】
画像処理プロセッサ３１０の出力画像データは、メモリ制御部３３１の制御下に表示用メモリ３１１及びフレームメモリ３１４に書き込まれる。
【００２８】
３１３は液晶表示装置（ＬＣＤ）等から成る画像表示部である。表示用メモリ３１１に書き込まれた表示用の画像データは、Ｄ／Ａ変換器３１２によりアナログ画像に変換されて、画像表示部３１３に供給される。画像表示部３１３は、撮像画像を逐次表示することで、電子ファインダ機能を実現できる。
【００２９】
また、画像表示部３１３は、システム制御部３１８の指示により表示をオン／オフすることが可能である。適時に表示をオフにすることにより、消費電力を大幅に削減できる。
【００３０】
フレームメモリ３１４は、撮影した静止画像や動画像の画像データを格納するメモリであり、所定枚数の静止画像又は所定時間に亘る動画像を格納するのに十分な記憶量を備えている。複数枚の静止画像を連続して撮影する連射撮影やパノラマ撮影の場合にも、高速かつ大量の画像データをフレームメモリ３１４に書き込むことが出来る。
【００３１】
本実施例では、デジタルカメラ装置１０１は、画像管理サーバ装置１０４から支援情報イメージをダウンロードして、フレームメモリ３１４に書き込み、画像表示部３１３に表示することが可能である。
【００３２】
圧縮伸長プロセッサ３１６は、適応離散コサイン変換（ＡＤＣＴ）又はＷａｎｅｌｅｔ変換等のアルゴリズムで時間軸情報の画像を周波数軸上に変換し、量子化及び可変長符号化により画像データを圧縮伸長するプロセッサである。圧縮伸長プロセッサ３１６は、フレームメモリ３１４に格納された画像データを圧縮処理し、圧縮画像データをフレームメモリ３１４に書き戻す。圧縮伸長プロセッサ３１６はまた、フレームメモリ３１４に格納された圧縮画像データを伸長処理し、復元された画像データをフレームメモリ３１４に書き戻す。
【００３３】
絞り制御手段３２９は、測光手段３２２からの測光情報に基づき絞りを制御する。シャッタ制御手段３３０は、測光手段３２２からの測光情報に基づき、絞り制御手段３２９による絞り制御と連携して、シャッタ３０６を制御する。
【００３４】
測距手段３２３はＡＦ（オートフォーカス）処理を行うための測距手段である。レンズ３０１に入射した光線は、絞り３０２、ミラー３０３、及び図示しない測距用サブミラーを介して、測距手段３２３に入射し、測距手段３２３は、この入射光により、撮像素子３０７に対する合焦状態を測定する。
【００３５】
測光手段３２２はＡＥ（自動露出）処理を行う。レンズ３０１に入射した光線は、絞り３０２、ミラー３０３，３０４及び図示しない測光用レンズを介して、測光手段３２２に入射する。測光手段３２２は、この入射光により、撮像素子３０７への露光量を測定する。
【００３６】
測光手段３２２はまた、フラッシュ３２１と連携してＥＦ（フラッシュ調光）処理機能を実現する。フラッシュ３２１は、ＡＦ補助光の投光機能、フラッシュ調光機能も有する。
【００３７】
システム制御部３１８は、画像処理プロセッサ３１０による撮影画像データに対する演算結果に基づき、シャッタ制御手段３３０、絞り制御手段３２９及び測距制御手段３２８を制御する。これにより、ビデオＴＴＬ方式を用いて露出制御及びＡＦ（オートフォーカス）制御を実現できる。
【００３８】
システム制御部３１８は、測距手段３２３による測定結果と、撮像素子３０７からの画像データを画像処理プロセッサ３１０が演算して得られた演算結果とを共に用いてＡＦ制御を行ってもよい。
【００３９】
システム制御部３１８は、測光手段３２２による測定結果と、撮像素子３０７からの画像データを画像処理プロセッサ３１０が演算して得られた演算結果とを共に用いて露出制御を行ってもよい。
【００４０】
システム制御部３１８は、デジタルカメラ装置全体を制御し、メモリ３４０には、システム制御部３１８の制御動作用の定数、変数及びプログラム等が記憶される。
【００４１】
出力装置３４１は、システム制御部３１８でのプログラムの実行に応じて、文字、画像、音声等を用いて動作状態やメッセージ等を表示する液晶表示装置とスピーカ等から成る。出力装置３４１は、デジタルカメラ装置１０１の操作部近辺に単体で又は複数個所に分散して設置され、例えばＬＣＤ又はＬＥＤと、発音素子等との組み合わせにより構成される。出力装置３４１の一部の機能は、光学ファインダ３０５内に設置される。
【００４２】
出力装置３４１の表示部の表示内容のうち、ＬＣＤ等に表示するものとしては、例えば、以下の要素がある。シングルショット／連写撮影、セルフタイマ、圧縮率、記録画素数、記録枚数、残撮影可能枚数、シャッタスピード、絞り値、露出補正、フラッシュ、赤目緩和、マクロ撮影等がある。他に、ブザー設定、時計用電池残量、電池残量、エラー、複数桁の数字による情報、記録媒体３３７と通信Ｉ／Ｆの動作、日付け・時刻表示がある。更には、外部コンピュータとの接続状態、接続した外部機器からの情報、および、プログラムの実行によるユーザＩ／Ｆ用の画面等がある。
【００４３】
出力装置３４１の表示部の表示内容のうち、光学ファインダ３０５内には以下の情報が表示される。例えば、合焦、撮影準備完了、手振れ警告、フラッシュ充電、フラッシュ充電完了、シャッタスピード、絞り値、露出補正及び記録媒体書き込み動作等である。
【００４４】
出力装置３４１の表示部の表示内容のうち、ＬＥＤ等により以下の情報が表示される。例えば、合焦、撮影準備完了、手振れ警告、手振れ警告、フラッシュ充電、フラッシュ充電完了、記録媒体書き込み動作、マクロ撮影設定通知、及び二次電池充電状態等である。
【００４５】
出力装置３４１の表示部の表示内容のうち、ランプ等に表示する情報として、例えば、セルフタイマ通知がある。セルフタイマ通知ランプは、ＡＦ補助光と共用して用いてもよい。
【００４６】
３４２は電気的に消去・記録可能な不揮発性メモリであり、例えばＥＥＰＲＯＭ等が用いられる。
【００４７】
３３２、３３３、３３４、３３５、３４３、３４４、３４５は、システム制御部３１８へ各種の動作指示を入力するための操作手段である。これらの操作部材は、スイッチ、ダイアル、タッチパネル、視線検知によるポインティング、音声認識装置又はこれらの組み合わせで構成される。
【００４８】
モードダイアルスイッチ３３２により種々の動作モードを選択して設定できる。具体的には、自動撮影モード、プログラム撮影モード、シャッタ速度優先撮影モード、絞り優先撮影モード及びマニュアル撮影モードがある。また、焦点深度優先（デプス）撮影モード、ポートレート撮影モード、風景撮影モード、接写撮影モード、スポーツ撮影モード、夜景撮影モード及びパノラマ撮影モード等の各機能撮影モードを切り替え設定出来る。
【００４９】
シャッタスイッチ３３３は、図示しないシャッタボタンの操作途中（半押し）でオンとなるスイッチである。システム制御部３１８は、シャッタスイッチ３３３がオンになると、ＡＦ（オートフォーカス）処理、ＡＥ（自動露出）処理、ＡＷＢ（オートホワイトバランス）処理及びＥＦ（フラッシュ調光）処理等を開始する。
【００５０】
シャッタスイッチ３４５は、図示しないシャッタボタンの操作完了（全押し）でオンとなるスイッチである。システム制御部３１８は、シャッタスイッチ３４５のオンにより、露光処理、現像処理及び記録処理からなる一連の記録動作の制御を開始する。露光処理は、撮像素子３０７から読み出されたアナログ画像信号をＡ／Ｄ変換器３０８及びメモリ制御部３３１を介してフレームメモリ３１４に書き込む処理である。現像処理は、画像処理プロセッサ３１０又はメモリ制御部３３１での演算を用いた処理である。記録処理は、フレームメモリ３１４から画像データを読み出し、圧縮伸長プロセッサ３１６で圧縮を行い、記録媒体３３７に書き込む処理である。
【００５１】
ＡＥＢ（オート・エクスポージャー・ブラケッティング）設定スイッチ３３４は、１回の撮影で標準露光値、オーバー露光値及びアンダー露光値の３駒分を自動段階露光するＡＥＢ撮影モードとその補正ステップ値を設定するのに使用される。プラスボタン及びマイナスボタン、又は回転ダイアルスイッチを用いれば、より簡便に補正ステップ値を設定できる。
【００５２】
３３５は単写／連写スイッチである。スイッチ３３５により、シャッタスイッチ３４５の押下に対して１駒の撮影を行って待機状態とする単写モード、又はシャッタスイッチ３４５の押下中に連続して撮影を行い続ける連写モードを設定出来る。
【００５３】
３４３は各種ボタンやタッチパネル等からなる操作部である。操作部３４３には、メニューボタン、セットボタン、マクロボタン、マルチ画面再生ページボタン、フラッシュ設定ボタン及び単写／連写／セルフタイマ切り替えボタンがある。更には、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン及び日付／時間設定ボタンがある。更には、操作部３４３は、パノラマモード等の撮影及び再生を実行する際に各種機能の選択及び切り替えを設定する選択／切り替えボタンを具備する。
【００５４】
操作部３４３は、パノラマモード等の撮影及び再生を実行する際に各種機能の決定及び実行を設定する決定／実行ボタンを具備する。操作部３４３は、画像表示部３１３のＯＮ／ＯＦＦを設定する画像表示ＯＮ／ＯＦＦスイッチを具備する。操作部３４３は、撮影直後に撮影した画像データを自動再生するクイックレビュー機能を設定するクイックレビューＯＮ／ＯＦＦスイッチを具備する。操作部３４３は、ＪＰＥＧ圧縮の圧縮率を選択したり、撮像素子の信号をそのままデジタル化して記録媒体に記録するＣＣＤＲＡＷモードを選択したりするためのスイッチである圧縮モードスイッチを具備する。操作部３４３は、再生モード、マルチ画面再生・消去モード、ＰＣ接続モード等の各機能モードを設定するための再生スイッチを具備する。
【００５５】
デジタルカメラ装置１０１は、合焦動作に関して２つの動作モード、具体的にはワンショットＡＥモードとサーボＡＦモードを具備する。ワンショットＡＥモードは、シャッタスイッチ３３３の押下によりオートフォーカス動作を開始し、合焦後にその合焦状態を保ち続ける動作モードである。サーボＡＦモードは、シャッタスイッチ３３３の押下中は連続してオートフォーカス動作を続ける動作モードである。操作部３４３は、ワンショットＡＥモードかサーボＡＦモードを設定するＡＦモード設定スイッチを具備する。操作部３４３は、撮影モード状態において撮影した画像をフレームメモリ３１４又は記録媒体３３７に書き込むか否かを設定するスイッチを具備する。操作部３４３は、接続する外部機器との通信及び情報入力を制御するためのスイッチを具備する。操作部３４３は、システム制御部３１８でのプログラムの実行に応じて表示したユーザＩ／Ｆに対応するスイッチ等を具備する。
【００５６】
プラスボタン及びマイナスボタンの各機能は、回転ダイアルスイッチを備えることによって、より軽快に数値や機能を選択することが可能となる。
【００５７】
操作部３４３は、本実施例で説明される撮影支援情報を要求するメニューボタン、及び撮影支援の属性を設定するメニューボタンを具備する。
【００５８】
メモリＩ／Ｆ３３６は記録媒体３３７へのデータ書き込み及び読み出しを仲介する。具体的には、フレームメモリ３１４に格納されている画像データはメモリＩ／Ｆ３３６を介して記録媒体３３７に書き込まれる。記録媒体３３７に格納されている画像データは、メモリＩ／Ｆ３３６を介して読み出されて、例えばフレームメモリ３１４に書き込まれる。
【００５９】
外部Ｉ／Ｆ３３８は、フレームメモリ３１４上に格納されている画像データを、外部情報機器及び外部記録装置に転送し、その逆に、外部情報機器及び外部記録装置からフレームメモリ３１４に画像データを転送する為のインターフェースである。
【００６０】
３４４は、記録媒体３３７が装着されているか否かを検知する記録媒体着脱検知手段である。
【００６１】
メモリＩ／Ｆ３３６及び外部Ｉ／Ｆ３３８、としては、ＰＣＭＣＩＡカードやメモリカード等の規格に準拠したものを用いて構成してもよい。その場合、各種通信カードを接続することにより、他のコンピュータやプリンタ等の周辺機器との間で画像データや画像データに付属した管理情報を転送し合うことが出来る。通信カードには、ＡＮカードやモデムカード、ＵＳＢカード、ＩＥＥＥ１３９４カード、Ｐ１２８４カード、ＳＣＳＩカード等がある。
【００６２】
本実施例で説明される撮影支援情報の要求および撮影支援情報のダウンロードを実行する場合も、外部情報機器であるＰＣとの通信を外部Ｉ／Ｆ３３８経由で実施する。
【００６３】
通信Ｉ／Ｆ３４６は、通信装置３４７を介して、外部Ｉ／Ｆ３３８で接続できる汎用の通信機器を除く、専用の外部機器又はネットワークと通信するのに使用される。通信装置３４７は、赤外線通信、Ｂｌｕｅｔｏｏｔｈ（登録商標）等の近距離無線通信等を使用した限定したネットワークで通信する機器である。
【００６４】
レンズ３０１に入射した光線が、一眼レフ方式によって、絞り３０２及びミラー３０３，３０４を介して光学ファインダ３０５に入射し、光学ファインダ３０５において、光学像として結像表示する。これにより、撮影者は、画像表示部３１３による電子ファインダ機能を使用すること無しに、光学ファインダ３０５のみを用いて撮影を行うことが可能である。
【００６５】
光学ファインダ３０５内には、画像表示部３１３の一部の機能、例えば、合焦表示、手振れ警告表示、フラッシュ充電表示、シャッタスピード表示、絞り値表示、露出補正表示などの手段が設置されている。
【００６６】
カメラＩ／Ｆ３２０は、システム制御部３１８との間で制御信号、状態信号及びデータ信号等を相互に伝達する。
【００６７】
光学ミラー３０３，３０４は、レンズ３０１に入射した光線を、一眼レフ方式によって光学ファインダ３０５に導く。光学ミラー３０４は、クイックリターンミラーの構成としても、ハーフミラーの構成としても、どちらでもよい。
【００６８】
記録媒体３３７は、メモリカード又はハードディスク等の記録媒体である。記録媒体３３７は、半導体メモリや磁気ディスク等から構成される記録部、インターフェース及びコネクタを備えている。
【００６９】
先に説明したように、絞り制御手段３２９は、測光手段３２２からの測光情報に基づき、シャッタ制御手段３３０によるシャッタ制御と連携して、絞り３０２を制御する。
【００７０】
測距制御手段３２８はレンズ３０１のフォーカシングを制御し、ズーム制御手段３２７は、レンズ３０１のズーミングを制御する。
【００７１】
レンズ制御手段３２６は、絞り制御手段３２９、測距制御手段３２８、ズーム制御手段３２７等の、レンズ３０１に関する制御を統括管理する。レンズ制御手段３２６は、レンズ３０１の動作用の定数、変数及びプログラム等を記憶するメモリを具備する。レンズ制御手段３２６は更に、レンズ３０１の固有番号等の識別情報、管理情報、開放絞り値や最小絞り値、焦点距離等の機能情報、現在や過去の各設定値などを保持する不揮発メモリを具備する。
【００７２】
デジタルカメラ装置１０１のユーザは、初回、画像管理サーバ装置１０４への初回接続時に、画像管理サーバ装置１０４にユーザ登録を実施する。これにより、当該ユーザに対して、画像管理サーバ装置１０４のユーザ情報テーブル４００に図４に示す情報が登録される。ユーザ情報テーブル４００は、ユーザＩＤ４０１、ユーザ名４０２、性別４０３、年齢４０４、カメラ識別番号４０５、認証情報４０６、カメラ機種名４０７及び有効／無効４０８の各フィールドを具備する。ユーザＩＤ４０１が発行済みであり、ユーザが初回ユーザ登録を実行後、このユーザのレコードは有効／無効フィールド４０８に「有効」がセットされる。
【００７３】
図５を参照して、デジタルカメラ装置１０１の、撮影支援サービスを要求する動作を説明する。図５は、その動作フローチャートを示す。図６は、撮影支援メニュー画面例を示す。
【００７４】
撮影支援サービス利用者は、メニューボタン６０１（図６）を押下して、撮影支援メニュー６０２を表示し、地図表示で撮影支援情報の取得を要求する。情報の取得にあたっては、図６に示したように、撮影支援の属性又は条件を選択肢として複数表示する（Ｓ５０１）。例えば、カメラの撮影シーンに近いものや、今の季節が一致するもの、夜景・夕景・昼間などの撮影の時間帯が一致するもの、カメラタイプが一致するもの、撮影日付が近年（たとえば１年以内、数年以内）等である。
【００７５】
デジタルカメラ装置１０１は、位置情報取得装置３５０により、現在の位置情報の取得が可能かどうかを判定する（Ｓ５０２）。システム制御部３１８は、位置情報の取得がユーザによって許可されていない場合、位置情報の利用を説明するアラートメッセージを表示してユーザに許可を求める。
【００７６】
デジタルカメラ装置１０１は、位置情報取得が不可の場合、またはユーザからの許可が得られなかった場合（Ｓ５０２）、エラーメッセージを表示して位置情報を利用できなければこのサービスが利用できない旨を説明して処理を終了する。
【００７７】
デジタルカメラ装置１０１は、位置情報取得を許可されていた場合又は位置情報取得が可能だった場合、位置情報取得装置３５０を使って現在地の位置情報を取得する（Ｓ５０３）。
【００７８】
デジタルカメラ装置１０１は、サービス利用者に撮影を促すメッセージを画像表示部３１３に表示する。サービス利用者は画像の撮影を行う（Ｓ５０４）。
【００７９】
デジタルカメラ装置１０１は、撮影画像に撮影地の位置情報、撮影モード情報及び撮影日時を付加情報として埋め込まんだ画像データを生成する（Ｓ５０５）。
【００８０】
デジタルカメラ装置１０１は、外部Ｉ／Ｆ３３８及びネットワーク１０３を経由して画像管理サーバ装置１０４と通信する。デジタルカメラ装置１０１は、外部Ｉ／Ｆ３３８に記録されている機器の識別番号及び認証情報を画像管理サーバ装置１０４に送信し、画像管理サーバ装置１０４にサービス認証を要求する（Ｓ５０６）。
【００８１】
デジタルカメラ装置１０１は、外部Ｉ／Ｆ３３８及びネットワーク１０３を経由して画像管理サーバ装置１０４に画像データを送信する（Ｓ５０７）。
【００８２】
図７に示すフローチャートを参照して、画像管理サーバ装置１０４における撮影支援サービスの提供動作を説明する。図８は、画像管理サーバ装置１０４に格納される画像情報テーブルの構成例を示す。この撮影支援サービス提供動作は、画像管理サーバ装置１０４のＣＰＵ２０１がＯＳ及び所定プログラムを記憶装置２０４から読み出して起動し、これらにしたがって各種デバイスを制御することにより実現される。ただし、以下では説明を簡単にするため、単に画像管理サーバ装置１０４が実行すると記載する。
【００８３】
画像管理サーバ装置１０４はデジタルカメラ装置１０１からのサービス認証の要求に対し、この要求と共に取得したカメラ識別番号４０５と認証情報４０６をキーにユーザ情報テーブル４００を検索する。画像管理サーバ装置１０４は情報が正しければ、認証を許可してユーザＩＤ４０１を返却する（Ｓ７０１）。
【００８４】
画像管理サーバ装置１０４は、デジタルカメラ装置１０１からアップロードされた画像を受信する。画像管理サーバ装置１０４は、受信した画像を一意に識別する画像ＩＤ８０１を新規に発番して画像情報テーブル８００に格納する。画像管理サーバ装置１０４は、デジタルカメラ装置１０１からの要求からユーザＩＤ８０３と画像名８０２を取得し、画像情報テーブル８００に格納する。画像管理サーバ装置１０４は受信した画像を記憶装置２０４に保存し、記憶装置２０４での原画像の保存場所を示す内部ファイルパスと現在のサーバ装置時間を登録日８０４として画像情報テーブル８００に格納する（Ｓ７０２）。
【００８５】
画像管理サーバ装置１０４は、受信した画像を解析し、画像情報に埋め込まれた付加情報を取得する（Ｓ７０３）。画像管理サーバ装置１０４は、得られた情報を、画像情報テーブル８００の対応するフィールドに格納する。すなわち、画像情報テーブル８００の画像サイズ８０５、撮影日時８０６、撮影方位８０８、撮影モード８０９及びカメラ種別（機種名）８１０に、対応する情報が格納される。
【００８６】
画像管理サーバ装置１０４は、受信した画像の解析結果から、位置情報が存在するか否かを判定する（Ｓ７０４）。
【００８７】
画像管理サーバ装置１０４は、撮影時の位置情報が存在する場合、その位置情報を画像情報テーブル８００の位置情報８０７に格納して、次の撮影支援情報の生成フローに移行する（Ｓ７０５）。
【００８８】
画像管理サーバ装置１０４は、画像解析結果から撮影時の位置情報が取得できない場合、デジタルカメラ装置１０１に撮影支援情報の要求に応えられない旨のエラーを返却する（Ｓ７０６）。この場合、デジタルカメラ装置１０１は、近隣の撮影支援情報の要求に応えることができない。
【００８９】
図９を参照して、画像管理サーバ装置１０４における撮影支援候補リストの生成動作を説明する。図１０は、現在地と撮影位置情報が一致する画像リストの構成例を示す。図１１はユーザ画像リストの構成例を示す。図１２は、候補リストの構成例を示す。この撮影支援候補リスト生成動作は、画像管理サーバ装置１０４のＣＰＵ２０１がＯＳ及び所定プログラムを記憶装置２０４から読み出して起動し、これらにしたがって各種デバイスを制御することにより実現される。ただし、以下では説明を簡単にするため、単に画像管理サーバ装置１０４が実行すると記載する。
【００９０】
画像管理サーバ装置１０４は、ステップＳ７０５で保管した位置情報、つまり撮影支援情報を要求する元画像の位置情報を、変数「現在地」に格納する（Ｓ９０１）。
【００９１】
画像管理サーバ装置１０４は、画像情報テーブル８００上で撮影位置情報１００７の値が「現在地」と閾値の範囲内で一致する画像レコードを検索し、合致したレコードの画像ＩＤ８０１を画像リスト１０００の画像ＩＤ１００１に挿入する。画像管理サーバ装置１０４は、位置が一致した画像の検索件数を変数Ｎに代入する（Ｓ９０２）。このように、画像リスト１０００は、「現在地」と閾地の範囲内で位置情報が一致する画像の識別情報を保管する。
【００９２】
画像管理サーバ装置１０４は、画像リスト１０００に格納された画像件数Ｎ分、撮影後の次の撮影地を洗い出す処理をループで実施する（Ｓ９０３〜Ｓ９０９）。
【００９３】
画像管理サーバ装置１０４は、画像リスト１０００から画像ＩＤ１００１を一件取り出し、変数Ｎを１減算する（Ｓ９０３）。画像管理サーバ装置１０４は、画像ＩＤをキーに画像情報テーブル８００を検索し、ユーザＩＤ８０３と撮影日時８０６を取得する。
【００９４】
画像管理サーバ装置１０４は、Ｓ９０３で取得したユーザＩＤをキーに画像情報テーブル８００上でこのユーザが撮影した画像を全て検索する。画像管理サーバ装置１０４は、検索の結果、ヒットした画像の画像ＩＤ８０１、撮影日時８０６及び撮影位置情報８０７を画像リスト１１００の対応するフィールドに挿入する（Ｓ９０４）。画像リスト１１００は、「現在地」と閾値の範囲内で同じ場所を撮影したことがあるユーザの画像リストである。
【００９５】
画像管理サーバ装置１０４は、画像リスト１１００を撮影日時１１０２に基づく順に並べ替え、位置一致画像の次に撮影した画像を候補地画像として取得する。（Ｓ９０５）。
【００９６】
画像管理サーバ装置１０４は、候補地画像の撮影日時１１０２が位置一致画像と同日に撮影されているか否かを確認する（Ｓ９０６）。位置一致画像と次の候補地画像が別の日に撮影されていると判定した場合、ユーザの動線フローがとぎれたと判断できる。従って、画像管理サーバ装置１０４は、位置一致画像と次の候補地画像が別の日に撮影されていると判定した場合（Ｓ９０６）、この候補地画像をリストアップせずに、Ｓ９０３に戻る。
【００９７】
画像管理サーバ装置１０４は、位置一致画像と次の候補地画像が同日に撮影されている場合（Ｓ９０６）、候補地画像の位置情報を確認する（Ｓ９０７）。具体的には、候補地画像の位置情報が、画像に埋め込まれており取得可能か、「現在地」と閾値以内で一致する（ごく近傍である）か、または、閾値以上である（ごく遠方である）かを確認する。
【００９８】
画像管理サーバ装置１０４は、「現在地」と次の候補地画像の撮影位置情報１１０３がごく近傍であるかごく遠方であると判定した場合、この候補地画像をリストアップせずに、Ｓ９０３に戻る。
【００９９】
画像管理サーバ装置１０４は、次の候補地画像のごく近傍でもなく、ごく遠方でもなく、位置情報が支援情報として適切であると判定した場合、当該撮影支援情報の候補地画像であると判断する。画像管理サーバ装置１０４は、この候補地画像の画像ＩＤ８０１、撮影日時８０６及び撮影位置情報８０７を候補リスト１２００の対応するフィールドに挿入する（Ｓ９０８）
【０１００】
画像管理サーバ装置１０４は、変数Ｎが“０”になるまでステップＳ９０３以降の処理を繰り返す（Ｓ９０９）。変数Ｎが“０”になると、画像管理サーバ装置１０４は、位置情報が一致するすべての画像について次の撮影地をあらいだす処理を終了したとして、撮影支援情報候補リスト１２００の生成を終了する。
【０１０１】
図１３を参照して、画像管理サーバ装置１０４における撮影支援情報生成動作を説明する。この撮影支援情報生成動作は、画像管理サーバ装置１０４のＣＰＵ２０１がＯＳ及び所定プログラムを記憶装置２０４から読み出して起動し、これらにしたがって各種デバイスを制御することにより実現される。ただし、以下では説明を簡単にするため、単に画像管理サーバ装置１０４が実行すると記載する。
【０１０２】
画像管理サーバ装置１０４は、撮影支援候補リスト１２００を検索し、候補リストの件数を変数Ｍに代入する（Ｓ１３０１）。
【０１０３】
画像管理サーバ装置１０４は、撮影支援情報の表示件数Ｍ分、適正な支援情報を選択する処理をループで実施する（Ｓ１３０２〜Ｓ１３０５）。
【０１０４】
すなわち、画像管理サーバ装置１０４は先ず、撮影支援候補リスト１２００から候補レコードを一件取り出し、変数Ｍを１だけ減算する（Ｓ１３０２）。
【０１０５】
画像管理サーバ装置１０４は、Ｓ４０２で設定された撮影支援属性を確認する（Ｓ１３０３）。撮影支援属性としては、さまざまなものが考えられる。例えば、カメラの撮影シーンに近いものという属性が選択されていた場合、画像管理サーバ装置１０４は、元画像の付加情報からカメラの撮影モード情報８０９を取得し、Ｓ１３０２で取得した画像の付加情報の撮影モード情報と比較する。季節一致という属性が選択されていた場合、画像管理サーバ装置１０４は、元画像の付加情報から撮影日時８０６を取得して季節を判定し、Ｓ１３０２で取得した画像の付加情報の撮影日時の季節と比較する。
【０１０６】
（夜景・夕景・昼間などの）時間帯一致という属性が選択されていた場合、画像管理サーバ装置１０４は、元画像の付加情報から撮影日時８０６を取得して時間帯を判定し、Ｓ１３０２で取得した画像の付加情報の撮影日時の時間帯と比較する。撮影日付が近年（たとえば１年以内、数年以内）等の条件付けの属性が選択されていた場合、画像管理サーバ装置１０４は、元画像の付加情報から撮影日時８０６を取得して時間帯を判定し、Ｓ１３０２で取得した画像の付加情報の撮影日時の時間帯と比較する。カメラ種別一致という属性が選択されていた場合、画像管理サーバ装置１０４は、元画像の付加情報からカメラ種別８１０を取得してカメラのタイプを判定し、Ｓ１３０２で取得した画像の付加情報のカメラ種別と比較する。
【０１０７】
画像管理サーバ装置１０４は、候補リスト１２００の候補画像が撮影支援情報の属性と一致していないと判断した場合（Ｓ１３０３）、図１４に示す支援リスト１４００には挿入せずに、Ｓ１３０２に戻る。
【０１０８】
画像管理サーバ装置１０４は、候補リスト１２００の候補画像が撮影支援情報の属性と一致していると判断した場合（Ｓ１３０３）、その撮影位置情報１２０３を支援リスト１４００の撮影位置情報１４０１に挿入する（Ｓ１３０４）。
【０１０９】
撮影支援情報の属性は、先に説明したように、単一の一致の条件でもよいし、複数の属性の一致を条件としてもよい。また、複数の属性を組み合わせて重み付けをもたせ、その重み付けを積算して重み付け値１４０２と撮影位置情報１４０１をあわせて、支援リスト１４００に挿入するようにしてもよい。
【０１１０】
画像管理サーバ装置１０４は、変数Ｍが“０”に等しくなるまで、Ｓ１３０２以降を繰り返す（Ｓ１３０５）。変数Ｍが“０”に等しいと（Ｓ１３０５）、画像管理サーバ装置１０４は、候補リスト１２００の全候補が支援情報の属性に合致しているか否かを確認する終了したことになり、撮影支援情報の支援リスト１４００の生成を終了する。
【０１１１】
画像管理サーバ装置１０４は、支援リストの作成を終えたら、地図情報を取得する（Ｓ１３０６）。地図画像情報は、画像管理サーバ装置１０４に予め格納しておいてもよいし、地図情報サービスを行うサーバ装置と通信して取得してもよい。地図情報の中心は、先ほど変数に格納した「現在地」とする。また、地図情報の位置範囲は、Ｓ９０７で遠方と判断した決め打ちの範囲を予めサーバ装置の設定値として定義しておいてもよい。また、候補リストの撮影位置情報をすべて検索し、現在地の位置情報から最も遠方と判断される位置が含まれるように計算してもよい。
【０１１２】
画像管理サーバ装置１０４は、地図情報の中心に現在地の位置情報をプロットする（Ｓ１３０７）。位置を示すのに、他の支援情報と区別されるマークを使用するのが好ましい。支援リストの最大表示件数Ｌを取得し、支援リストの位置情報を最大表示件数Ｌ分、地図情報にプロットする。この値Ｌは、予め選択した」値をシステムに定義しておいてもよいし、Ｓ５０１で撮影支援情報と共にユーザが入力しても良い。デジタルカメラ装置１０１の表示領域や目的にあわせて、デジタルカメラ装置１０１やモードごとに設定してもよい。
【０１１３】
支援リストの位置情報を地図情報にプロットするにあたり、撮影支援モードを明示的に示すアイコンを利用してもよい。たとえば季節をあらわす支援属性であれば季節を連想させるアイコンを使用する。朝・昼・夕・夜などの時間帯をあらわす支援属性であれば時間帯を連想させるアイコンを使用する。カメラのモードの支援属性であれば人物や風景などのアイコンを使用する。
【０１１４】
画像管理サーバ装置１０４は、現在地と支援リストの位置情報がプロットされた地図情報を、支援情報を要求したデジタルカメラ装置１０１の表示領域に表示するのに適切な画像情報に変換する（Ｓ１３０８）。画像情報への変換については、予め登録時にデジタルカメラ装置１０１の表示領域サイズをシステムで保持してもよいし、デジタルカメラ装置１０１が表示可能な画像のタイプやサイズを撮影支援要求時に指定してもよい。地図画像が拡大表示できるように、デジタルカメラ装置１０１での通常の表示解像度よりも詳細で大きな地図情報を利用しても良い。
【０１１５】
画像管理サーバ装置１０４は、このように生成した支援情報画像を、ネットワーク１０３を経由してデジタルカメラ装置１０１に送信する（Ｓ１３０９）。
【０１１６】
図１５を参照して、画像管理サーバ装置１０４からデジタルカメラ装置１０１に送信された支援情報画像の、デジタルカメラ装置１０１における処理を説明する。図１６は、デジタルカメラ装置１０１における支援情報画像の表示例を示す。
【０１１７】
デジタルカメラ装置１０１は、外部Ｉ／Ｆ３３８及びネットワーク１０３を経由して画像管理サーバ装置１０４と通信し、画像管理サーバ装置１０４からの支援情報画像を受信する（Ｓ１５０１）。
【０１１８】
デジタルカメラ装置１０１は、受信した支援情報画像をフレームメモリ３１４に格納し、画像表示部３１３に表示する（Ｓ１５０２）。撮影支援サービス利用者は、図１６の表示領域１６０１で撮影支援画像を確認できる。撮影支援画像により、撮影者は、現在地１６０２とお勧めの撮影地１６０３を地図上で確認できる。
【０１１９】
本発明の好適な実施例を説明したが、本発明はこれら特定の実施例に限定されず、本発明の要旨を逸脱しない範囲の様々な形態も本発明に含まれる。
【０１２０】
また、本発明は、以下の処理を実行することによっても実現される。即ち、上述した実施例の機能を実現するソフトウエア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014096689.tif 000003
【図２】
2014096689.tif 000004
【図３】
2014096689.tif 000005
【図４】
2014096689.tif 000006
【図５】
2014096689.tif 000007
【図６】
2014096689.tif 000008
【図７】
2014096689.tif 000009
【図８】
2014096689.tif 000010
【図９】
2014096689.tif 000011
【図１０】
2014096689.tif 000012
【図１１】
2014096689.tif 000013
【図１２】
2014096689.tif 000014
【図１３】
2014096689.tif 000015
【図１４】
2014096689.tif 000016
【図１５】
2014096689.tif 000017
【図１６】
2014096689.tif 000018